(57)【特許請求の範囲】
【請求項１】
外気を建屋内に取り込む換気空調設備の外気取入口であって、外気を下方から上向きに取り込む垂直部及び同垂直部と接続する水平部とからなり矩形状流路断面を有する外気取入口ダクトと、前記垂直部の対向する内壁面の全幅にわたり、かつ上下方向で交互に配置され、更に各先端が下方に向かって傾斜して取付けられた複数の遮閉板と、前記水平部の流路断面を網目状部材で覆うと共に流れ方向に対して所定間隔を保って配列した複数の防雪ネットとを備え、前記複数の防雪ネットは流れ方向に対して左右いずれかの側に交互に開口部が形成されていることを特徴とする換気空調設備の外気取入口。
【請求項２】
外気を建屋内に取り込む換気空調設備の外気取入口であって、外気を下方から上向きに取り込む垂直部及び同垂直部と接続する水平部とからなり矩形状流路断面を有する外気取入口ダクトと、前記垂直部の対向する内壁面の全幅にわたり、かつ上下方向で交互に配置され、更に各先端が下方に向かって傾斜して取付けられた複数の遮閉板と、前記水平部の流路断面を網目状部材で覆うと共に流れ方向に対して所定間隔を保って配列した複数の防雪ネットとを備え、前記複数の防雪ネットは流れ方向に対して中央部に開口部を有する防雪ネットと左右両側に開口部を有する防雪ネットとが交互に配列していることを特徴とする換気空調設備の外気取入口。
【請求項３】
前記防雪ネットの開口部側の側端面には直角に折れ曲がり流れ方向に対して突設する小遮閉板を設けたことを特徴とする請求項１又は２記載の換気空調設備の外気取入口。
【請求項４】
前記防雪ネットの間隔は前記水平部の全長の１／４〜１／１６に、前記開口部の間隔は前記水平部の全幅の１／２．５〜１／７．５に、それぞれ設定されていることを特徴とする請求項１記載の換気空調設備の外気取入口。
【請求項５】
前記防雪ネットの間隔は前記水平部の全長の１／４〜１／１６に、前記中央部の開口部の幅は前記水平部の全幅の１／１．５〜１／６に、前記左右両側の開口部の幅は前記水平部の全幅の１／２．５〜１／７．５に、それぞれ設定されていることを特徴とする請求項２記載の換気空調設備の外気取入口。
【請求項６】
前記小遮閉板の幅は前記開口部の幅の１／３〜１／９に設定されることを特徴とする請求項３記載の換気空調設備の外気取入口。
【発明の詳細な説明】
【０００１】
【発明の属する技術分野】
本発明は換気空調設備の外気取入口に関し、外気取入口に防雪対策を施したものである。
【０００２】
【従来の技術】
図５は従来の工場や発電所、等における換気空調設備の外気取入口の一例を示す断面図である。図において、建屋９０の屋上に外気取入口ダクト８０を設置し、外気９１を建屋内に取り入れる。外気取入口ダクト８０は入口８１、直角に下向きの出口８２を有し、その内部には仕切壁８３を開口部が交互に反対側となるように取付けている。このような構成の外気取入口ダクト８０の入口８１から外気が吸入され、外気は仕切壁８３により蛇行して流入し、外気と共に混入しようとする雪を複数の仕切壁８３に衝突させて内部への侵入を防止している。
【０００３】
上記のように、工場や発電所、等の建屋においては、ダクトに仕切壁を設けることにより雪が容易にダクト内部に入り込まないように構造を工夫すると共に、吸い込み流速を低下させて雪の沈降に期待した対策を取っており、建屋内のドライエリアを利用して大規模な外気取入口を設置している。
【０００４】
【発明が解決しようとする課題】
前述のように、従来の工場や発電所、等の外気取入口では、雪が内部へ侵入しないように構造的に仕切壁、等を設けるような工夫を施してはいるが、年に数回吹雪が継続すると、雪がダクト内へ侵入し、仕切壁、等によって衝突してダクト内へは侵入を防止するが、外気取入口で仕切壁、等で侵入が防止された雪が入口に堆積して閉塞したり、ダクト内の仕切壁が形成する開口部を塞ぎ、圧損が高まり外気取入が不可能となる事態が発生している。従って外気取入口の形状のみでは雪の侵入を完全に防ぐには限度があり、何らかの対策が望まれていた。
【０００５】
そこで本発明では、換気空調設備の外気取入口の構造的な工夫により差圧を高めることなく、流れを蛇行させて雪の侵入を防ぐと共にネットを併用して雪による閉塞を少なくする構造として建屋内への雪の侵入を完全に防止することができる換気空調設備の外気取入口を提供することを課題としてなされたものである。
【０００６】
【課題を解決するための手段】
本発明は前述の課題を解決するために次の（１）〜（６）の手段を提供する。
【０００７】
（１）外気を建屋内に取り込む換気空調設備の外気取入口であって、外気を下方から上向きに取り込む垂直部及び同垂直部と接続する水平部とからなり矩形状流路断面を有する外気取入口ダクトと、前記垂直部の対向する内壁面の全幅にわたり、かつ上下方向で交互に配置され、更に各先端が下方に向かって傾斜して取付けられた複数の遮閉板と、前記水平部の流路断面を網目状部材で覆うと共に流れ方向に対して所定間隔を保って配列した複数の防雪ネットとを備え、前記複数の防雪ネットは流れ方向に対して左右いずれかの側に交互に開口部が形成されていることを特徴とする換気空調設備の外気取入口。
【０００８】
（２）外気を建屋内に取り込む換気空調設備の外気取入口であって、外気を下方から上向きに取り込む垂直部及び同垂直部と接続する水平部とからなり矩形状流路断面を有する外気取入口ダクトと、前記垂直部の対向する内壁面の全幅にわたり、かつ上下方向で交互に配置され、更に各先端が下方に向かって傾斜して取付けられた複数の遮閉板と、前記水平部の流路断面を網目状部材で覆うと共に流れ方向に対して所定間隔を保って配列した複数の防雪ネットとを備え、前記複数の防雪ネットは流れ方向に対して中央部に開口部を有する防雪ネットと左右両側に開口部を有する防雪ネットとが交互に配列していることを特徴とする換気空調設備の外気取入口。
【０００９】
（３）前記防雪ネットの開口部側の側端面には直角に折れ曲がり流れ方向に対して突設する小遮閉板を設けたことを特徴とする（１）又は（２）記載の換気空調設備の外気取入口。
【００１０】
（４）前記防雪ネットの間隔は前記水平部の全長の１／４〜１／１６に、前記開口部の間隔は前記水平部の全幅の１／２．５〜１／７．５に、それぞれ設定されていることを特徴とする（１）記載の換気空調設備の外気取入口。
【００１１】
（５）前記防雪ネットの間隔は前記水平部の全長の１／４〜１／１６に、前記中央部の開口部の幅は前記水平部の全幅の１／１．５〜１／６に、前記左右両側の開口部の幅は前記水平部の全幅の１／２．５〜１／７．５に、それぞれ設定されていることを特徴とする（２）記載の換気空調設備の外気取入口。
【００１２】
（６）前記小遮閉板の幅は前記開口部の幅の１／３〜１／９に設定されることを特徴とする（３）記載の換気空調設備の外気取入口。
【００１３】
本発明の（１）においては、雪を含んだ空気は垂直部の下方から流入し、交互に傾斜して設けられた遮閉板により蛇行して流れ、その流れに乗らなかった雪が遮閉板により捕獲される。遮閉板を通過した空気は水平部に入り、水平部の防雪ネットの網目を通過して空気が取り入れられるが、遮閉板を通過した雪は防雪ネットの網目により捕獲され雪の内部への侵入が防止される。更に雪が侵入し続けると防雪ネットの網目は完全に閉塞を起こすが、千鳥状に交互に配置された開口部を蛇行しながら通り抜けるので更なる差圧の上昇が制限される。又、流れを蛇行させることにより遮閉板、防雪ネットのみならず通路壁全体に雪が付着し、雪の侵入を低減することができる。
【００１４】
本発明の（２）においては、雪を含んだ空気は垂直部の下方から流入し、交互に傾斜して設けられた遮閉板により蛇行して流れ、その流れに乗らなかった雪が遮閉板により捕獲される。遮閉板を通過して空気は水平部に入り、水平部の防雪ネットの網目を通過して空気が取り入れられるが、遮閉板を通過した雪は防雪ネットの網目により捕獲され雪の内部への侵入が防止される。更に雪が侵入し続けると防雪ネットの網目は完全に閉塞を起こすが、開口部を通り抜ける流れは中央部で合流し、左右両側で分岐し、合流、分岐により蛇行して流れ、合流点、分岐点、蛇行点においてそれぞれほとんどの雪を捕獲することができる。又、流れを蛇行させることにより遮閉板、防雪ネットのみならず通路壁全体に雪が付着し、雪の侵入を低減することができる。
【００１５】
本発明の（３）では、上記（１）又は（２）の発明において、雪を含んだ空気が開口部を通過する際に防雪ネット側端面に設けられた小遮閉板により雪が捕獲されるので、雪の除去がより一層確実になされ、更なる差圧の上昇を制限することができる。
【００１６】
本発明の（４）では、上記（１）の発明の防雪ネットの間隔が水平部全長の１／４〜１／１６に、開口部の幅が水平部全幅の１／２．５〜１／７．５に、それぞれ設定され、空気の蛇行による流れの圧損を最小にするような寸法に設定し、又、本発明の（５）でも、上記（２）の発明の防雪ネットの間隔を水平部全長の１／４〜１／１６に、開口部の幅は中央部が水平部全幅の１／１．５〜１／６、左右両側が１／２．５〜１／７．５に、更に本発明の（６）では小遮閉板の幅は開口部の幅の１／３〜１／９に、それぞれ設定されるので、空気の蛇行する流れによる圧損を最小にすることができる。
【００１７】
【発明の実施の形態】
以下、本発明の実施の形態について図面に基づいて具体的に説明する。図１は本発明の実施の第１形態に係る換気空調設備の外気取入口を示し、（ａ）は側面図、（ｂ）は上面図、（ｃ）は内部の防雪ネットの斜視図である。（ａ），（ｂ）において、１０は外気取入口ダクトであり、ダクト１０は垂直部１０ａと水平部１０ｂとからなる曲がり形状で矩形状の流路断面である。１１は入口で垂直部１０ａ下方に開口し、１２は出口で水平部１０ｂに開口している。なお、出口１２は水平流れの出口ではなく、垂直下方、即ち、底面から下方へ流出するようにしても良い。
【００１８】
１３は垂直部１０ａに設けられた遮閉板であり、垂直部１０ａ両壁面に交互に配置され、下方斜めに傾斜して突出した板状で下方から流入する雪の侵入を防止するものである。１４は水平部１０ｂの内部上面と底面間に垂直に取付けられた防雪ネットであり、所定の間隔で１４ａ，１４ｂ，１４ｃと３枚が配列している。
【００１９】
防雪ネット１４には、（ｃ）に示すように開口部１５が設けられ、他の全面はネットとなっており、開口部は（ｂ）に示すように、前段の１５ａが一方の端、中段の１５ｂが反対側の端へ、後段の１５ｃがその反対側と、それぞれ交互に千鳥状に配置されている。これら開口部の幅は（ｂ）に示すように約全幅の１／２．５〜１／７．５程度（Ｗo ＝Ｗ／２．５〜７．５）が好ましく、ネットのメッシ寸法は１mm〜０．８mm程度とし、雪の侵入、通過を阻止する構成となっている。
【００２０】
具体的な寸法を発電所、等に適用される例で参考までに述べると、（ｂ）図における幅（Ｗ）が約１５ｍ、水平部１０ｂの長さ（Ｌ）が約２５ｍ、防雪ネット１４の配置間隔（Ｐ）が３ｍ、開口部１５ａ，１５ｂ，１５ｃの幅（Ｗo ）は３ｍ程度で内部へ作業員が入って作業できる大きさのものである。
【００２１】
上記構成の実施の第１形態の外気取入口において、雪を含んだ空気５０は垂直部１０ａの下方入口１１より外気取入口ダクト１０へ入り、垂直部１０ａに交互に傾斜して設けられた遮閉板１３により５０ａで示すように流れ、大部分は遮閉板１３に衝突して雪が捕獲される。
【００２２】
遮閉板１３を通過した雪は水平部１０ｂに流入し、雪を含んだ空気は５０ｂで示すように水平部１０ｂに設置された３枚の防雪ネット１４ａ，１４ｂ，１４ｃを通過し、雪は防雪ネットにより捕獲され、雪の内部への侵入がほとんど防止される。雪が更に侵入し続けると、防雪ネット１４ａ，１４ｂ，１４ｃの網目は完全に閉塞を起こすが、空気は千鳥状に配置された開口部１５ａ，１５ｂ，１５ｃを通り、５０ｃで示すように蛇行して流れ、更なる差圧の上昇を制限することができる。又、流れを５０ｃのように蛇行させることにより、遮閉板１３、防雪ネット１４のみならず、ダクト１０の通路壁全体に雪が付着し、雪の侵入を防止することができる。
【００２３】
図２は本発明の実施の第２形態に係る換気空調設備の外気取入口を示し、（ａ）は側面図、（ｂ）は上面図、（ｃ）は内部の防雪ネットの斜視図である。本実施の第２形態においては、実施の第１形態に比べると防雪ネットの構造が異なり、その他の構造、寸法は図１に示す実施の第１形態と同じである。
【００２４】
即ち、図１と同様に、外気取入口ダクト１０は垂直部１０ａと水平部１０ｂとからなり、垂直部１０ａには傾斜した遮閉板１３を有し、水平部１０ｂには防雪ネット２４を２４ａ，２４ｂ，２４ｃと３枚配列して構成され、防雪ネット２４の構造以外は図１と同じ構造である。
【００２５】
防雪ネット２４は一端に小遮閉板２５を有してＬ字形形状であり、他は全面ネット構造であり、小遮閉板２６側が開口部となるように配置される。即ち、（ｂ）に示すように、前段の一端の小遮閉板２６ａ側には開口部２５ａが、中段の小遮閉板２６ｂ側には前段とは反対側に開口部２６ｂが設けられ、後段には中段と反対側に小遮閉板２６ｃが設けられ開口部２５ｃが、それぞれ交互に配置されている。
【００２６】
上記構成の実施の第２形態の実際の大きさは、図１に示す例と同じであり、その特徴部分である小遮閉板２６ａ，２６ｂ，２６ｃの幅（Ｓ）は開口部２５ａ，２５ｂ，２５ｃの幅（Ｗo ）の１／３〜１／９程度が好ましく、３ｍの１／３〜１／９、即ち、約１ｍ〜０．３３ｍ程度でＬ字状に形成されている。このような構成において、雪を含んだ空気５０は垂直部１０ａの下方入口１１より外気取入口ダクト１０へ入り、垂直部１０ａに交互に傾斜して設けられた遮閉板１３により５０ａで示すように流れ、大部分は遮閉板１３に衝突して雪が捕獲される。
【００２７】
遮閉板１３を通過した雪は水平部１０ｂに流入し、雪を含んだ空気は５０ｂで示すように水平部１０ｂに設置された３枚の防雪ネット２４ａ，２４ｂ，２４ｃを通過し、雪は防雪ネットにより捕獲され、雪の内部への侵入がほとんど防止される。雪が更に侵入し続けると、防雪ネット２４ａ，２４ｂ，２４ｃの網目は完全に閉塞を起こすが、空気は千鳥状に配置された開口部２５ａ，２５ｂ，２５ｃを通り、５０ｃで示すように蛇行して流れ、更なる差圧の上昇を制限することができる。
【００２８】
又、開口部２５ａ，２５ｂ，２５ｃを通過する際に、防雪ネット端の小遮閉板２６ａ，２６ｂ，２６ｃにより雪が捕獲され、蛇行した流れに含まれる雪の侵入が防止され、上記図１の構造よりも一層雪の侵入を確実に防止することができる。又、流れを５０ｃのように蛇行させることにより、遮閉板１３、防雪ネット２４のみならず、ダクト１０の通路壁全体に雪が付着し、雪の侵入を防止することができる。
【００２９】
図３は本発明の実施の第３形態に係る換気空調設備の外気取入口を示し、（ａ）は側面図、（ｂ）は上面図、（ｃ）は内部の防雪ネットの斜視図である。本実施の第３形態においては、実施の第１形態に比べると防雪ネットの構造が異なり、その他の構造は図１に示す実施の第１形態と同じである。
【００３０】
即ち、図１と同様に、外気取入口ダクト１０は垂直部１０ａと水平部１０ｂとからなり、垂直部１０ａには傾斜した遮閉板１３を有し、水平部１０ｂには防雪ネット３４を３列に配列して構成され、防雪ネット３４の構造以外は図１と同じ構造である。
【００３１】
防雪ネット３４は（ｂ），（ｃ）に示すように、前段が３４ａ−１，３４ａ−２、後段が３４ｃ−１，３４ｃ−２の２枚から構成され、これら前段と後段は中央部に開口部３５ａ，３５ｃを有するように配置されている。又、これら防雪ネット３４ａ−１，３４ａ−２の中央部側には小遮閉板３６ａが、３４ｃ−１，３４ｃ−２には小遮閉板３６ｃが、それぞれ設けられている。又、中央部の防雪ネット３４ｂには両側に小遮閉板３６ｂが設けられている。従って開口部は前段が中央部３５ａ、中段が両側の３５ｂ、後段が中央部の３５ｃと交互に配列されている。
【００３２】
上記の実施の第３形態の寸法は基本的には図１，図２に示すものと同じであるが、前段、後段の開口部３５ａ，３５ｃの幅（Ｗ1 ）は外気取入口１０の全幅（Ｗ）の１／１．５〜１／６が好ましく、全幅（Ｗ）が１５ｍとすると、Ｗ1 ＝１０〜２．５ｍ程度となる。中段の両側の開口部３５ｂの幅（Ｗ0 ）は全幅（Ｗ）の１／２．５〜１／７．５が好ましく、１５ｍの１／２．５〜１／７．５、即ち、Ｗ0 ＝６〜２ｍに設定される。
【００３３】
上記構成の実施の第３形態の外気取入口において、雪を含んだ空気５０は垂直部１０ａの下方入口１１より外気取入口ダクト１０へ入り、垂直部１０ａに交互に傾斜して設けられた遮閉板１３により５０ａで示すように流れ、大部分は遮閉板１３に衝突して雪が捕獲される。
【００３４】
遮閉板１３を通過した雪は水平部１０ｂに流入し、雪を含んだ空気５０ｂは前段の防雪ネット３４ａ−１，３４ａ−２、中段の３４ｂ、後段の３４ｃ−１，３４ｃ−２を通過し、雪は防雪ネットにより捕獲され、雪の内部への侵入がほとんど防止される。雪が更に侵入すると、防雪ネット３４ａ−１，３４ａ−２，３４ｂ，３４ｃ−１，３４ｃ−２の網目は完全に閉塞を起こすが、空気は、５０ｃで示すように、開口部３５ａから分岐し、両側の開口部３５ｂへ流れ、開口部３５ｃで合流し、分岐点、蛇行点、合流点において多量の雪を捕獲することができる。
【００３５】
又、開口部３５ａ，３５ｂ，３５ｃを通過する際に、防雪ネット端部に設けられた小遮閉板３６ａ，３６ｂ，３６ｃによって雪が捕獲され更なる差圧の上昇を制限することができる。又、流れを５０ｃのように蛇行させることにより、遮閉板１３、防雪ネット３４のみならず、ダクト１０の通路壁全体に雪が付着し、雪の侵入を防止することができる。
【００３６】
図４は上記に説明した実施の第１〜第３形態の外気取入口を建屋に取付けた状態を示す側面図である。（ａ）の例では外気取入口ダクト１０の出口１２を塞ぎ出口を底面１２ａとし、建屋６０には上面に開口６１を設けて建屋６０の隅部へ外気取入口ダクト１０を設置したものである。この例では空気５０は垂直部１０ａの下方から吸い込まれ、水平部１０ｂの右端底面の出口１２ａから建屋の開口６１を通って建屋６０内の垂直下方へ流入する。
【００３７】
（ｂ）の例では、外気取入口１０の出口１２はそのままとし、建屋７０の段部に設けられた開口７１より空気は水平部１０ｂからそのまま水平方向に取り込まれる例である。本発明の換気空調設備の外気取入口は上記（ａ），（ｂ）のいずれの方法でも良いものである。
【００３８】
【発明の効果】
本発明の換気空調設備の外気取入口は、（１）外気を建屋内に取り込む換気空調設備の外気取入口であって、外気を下方から上向きに取り込む垂直部及び同垂直部と接続する水平部とからなり矩形状流路断面を有する外気取入口ダクトと、前記垂直部の対向する内壁面の全幅にわたり、かつ上下方向で交互に配置され、更に各先端が下方に向かって傾斜して取付けられた複数の遮閉板と、前記水平部の流路断面を網目状部材で覆うと共に流れ方向に対して所定間隔を保って配列した複数の防雪ネットとを備え、前記複数の防雪ネットは流れ方向に対して左右いずれかの側に交互に開口部が形成されていることを特徴としている。
【００３９】
上記の構成により、雪を含んだ空気は垂直部の下方から流入し、交互に傾斜して設けられた遮閉板により蛇行して流れ、その流れに乗らなかった雪が遮閉板により捕獲される。遮閉板を通過して空気は水平部に入り、水平部の防雪ネットの網目を通過して空気が取り入れられるが、遮閉板を通過した雪は防雪ネットの網目により捕獲され雪の内部への侵入が防止される。更に雪が侵入し続けると防雪ネットの網目は完全に閉塞を起こすが、千鳥状に交互に配置された開口部を蛇行しながら通り抜けるので更なる差圧の上昇が制限される。又、流れを蛇行させることにより遮閉板、防雪ネットのみならず通路壁全体に雪が付着し、雪の侵入を低減することができる。
【００４０】
本発明の（２）は、上記（１）の発明と同じ垂直部及び水平部からなる外気取入口ダクトと、遮閉板と、複数の防雪ネットとを備え、前記複数の防雪ネットは流れ方向に対して中央部に開口部を有する防雪ネットと左右両側に開口部を有する防雪ネットとが交互に配列していることを特徴としている。
【００４１】
上記の構成により、上記（１）の発明と同様に垂直部の遮閉板と水平部の防雪ネットで雪が捕獲され、更に雪が侵入し続けると防雪ネットの網目は完全に閉塞を起こすが、開口部を通り抜ける流れは中央部で合流し、左右両側で分岐し、合流、分岐により蛇行して流れ、合流点、分岐点、蛇行点においてそれぞれほとんどの雪を捕獲することができる。又、流れを蛇行させることにより遮閉板、防雪ネットのみならず通路壁全体に雪が付着し、雪の侵入を低減することができる。
【００４２】
本発明の（３）では、上記（１）又は（２）の発明において、雪を含んだ空気が開口部を通過する際に防雪ネット側端面に設けられた小遮閉板により雪が捕獲されるので、雪の除去がより一層確実になされ、更なる差圧の上昇を制限することができる。
【００４３】
本発明の（４）では、上記（１）の発明の防雪ネットの間隔が水平部全長の１／４〜１／１６に、開口部の幅が水平部全幅の１／２．５〜１／７．５に、それぞれ設定され、空気の蛇行による流れの圧損を最小にするような寸法に設定し、又、本発明の（５）でも、上記（２）の発明の防雪ネットの間隔を水平部全長の１／４〜１／１６に、開口部の幅は中央部が水平部全幅の１／１．５〜１／６、左右両側が１／２．５〜１／７．５に、更に、本発明の（６）では、小遮閉板の幅は開口部の１／３〜１／９に、それぞれ設定されるので、空気の合流、蛇行、分岐の流れによる圧損を最小にすることができる。
【図面の簡単な説明】
【図１】本発明の実施の第１形態に係る換気空調設備の外気取入口を示し、（ａ）は側面図、（ｂ）は上面図、（ｃ）は内部の防雪ネットの斜視図である。
【図２】本発明の実施の第２形態に係る換気空調設備の外気取入口を示し、（ａ）は側面図、（ｂ）は上面図、（ｃ）は内部の防雪ネットの斜視図である。
【図３】本発明の実施の第３形態に係る換気空調設備の外気取入口を示し、（ａ）は側面図、（ｂ）は上面図、（ｃ）は内部の防雪ネットの斜視図である。
【図４】本発明の実施の第１〜第３形態に係る換気空調設備の外気取入口の取付断面図であり、（ａ），（ｂ）はそれぞれ異なる取付状態を示す。
【図５】従来の換気空調設備の取付状態を示す断面図である。
【符号の説明】
１０                              外気取入口ダクト
１１                              入口
１２                              出口
１３                              遮閉板
１４ａ，１４ｂ，１４ｃ            防雪ネット
１５ａ，１５ｂ，１５ｃ            開口部
２４ａ，２４ｂ，２４ｃ            防雪ネット
２５ａ，２５ｂ，２５ｃ            開口部
２６ａ，２６ｂ，２６ｃ            小遮閉板
３４ａ−１，３４ａ−２            防雪ネット
３４ｂ，３４ｃ−１，３４ｃ−２    防雪ネット
３５ａ，３５ｂ，３５ｃ            開口部
３６ａ，３６ｂ，３６ｃ            小遮閉板
【図１】
0003848879.tif 000002
【図２】
0003848879.tif 000003
【図３】
0003848879.tif 000004
【図４】
0003848879.tif 000005
【図５】
0003848879.tif 000006